(57)【要約】【課題】プリキャプチャ機能によって得られた画像の中の必要な画像だけ記録することによって容量の限られた記録メディアを有効活用できる撮像装置及びこのような撮像装置における画像記録方法を提供すること。【解決手段】レリーズボタン３２２の１段階目の押圧がなされると、測距動作が行われる。測距動作の終了後、シャッタ部２０６が開放されてキャプチャ動作が実行される。このタイミングでレリーズボタン３２２の２段階目の押圧がなされると、キャプチャ動作で取得された画像が内蔵記録メディア２２１に記録された後、キャプチャ画像のコマ送り再生が実行される。コマ送り再生中に栞ボタンが押されると、そのとき外部液晶モニタ２２０に表示中の画像が内蔵記録メディア２２１から着脱可能記録メディア２２２に複製記録される。【選択図】図３
2006270868.tif 000002
【特許請求の範囲】
【請求項１】
被写体を撮像する撮像動作を行って画像を取得する撮像手段と、
上記撮像手段による撮像動作で取得された画像を記録する記録手段と、
上記撮像手段による撮像動作で取得された画像を表示する表示手段と、
第１段階の押圧によって第１の指示信号を出力し、第２段階の押圧によって第２の指示信号を出力する撮影指示手段と、
選択指示信号を出力する選択指示手段と、
上記第１の指示信号に応答して上記撮像手段による撮像動作を繰り返し実行させ、上記撮像動作が繰り返されている間に上記第２の指示信号が出力された場合に、上記第２の指示信号が出力されたタイミングの前後に取得された画像を上記表示手段に順次表示させ、上記表示手段に画像が順次表示されている間に上記選択指示信号が出力された場合に、そのタイミングで上記表示手段に表示されている画像を上記記録手段に記録させるように制御する制御手段と、
を具備することを特徴とする撮像装置。
【請求項２】
上記記録手段は、
上記制御手段によって制御され上記撮像手段によって繰り返し取得される画像を一時的に記録する第１の記録手段と、
上記表示手段に表示されている画像を記録する第２の記録手段と、
を含むことを特徴とする請求項１に記載の撮像装置。
【請求項３】
上記制御手段は、上記選択指示信号が出力された場合に、そのタイミングで上記表示手段に表示されている画像を上記第１の記録手段から上記第２の記録手段に複製記録することを特徴とする請求項２に記載の撮像装置。
【請求項４】
上記第１の記録手段は、ハードディスクドライブを含むことを特徴とする請求項２に記載の撮像装置。
【請求項５】
上記第２の記録手段は、当該撮像装置に着脱自在な記録メディアを含むことを特徴とする請求項２に記載の撮像装置。
【請求項６】
上記選択手段は、操作部材の操作に応じて上記選択指示信号を出力することを特徴とする請求項１に記載の撮像装置。
【請求項７】
上記選択手段は、操作者の生体情報に応じて上記選択指示信号を出力することを特徴とする請求項１に記載の撮像装置。
【請求項８】
上記操作者の生体情報は、上記操作者の脳波及び声の少なくとも何れか一方を含むことを特徴とする請求項１に記載の撮像装置。
【請求項９】
上記制御手段は、上記第２の指示信号に応答して上記撮像手段によって取得された画像を、撮影実時間よりも時間を伸張させて上記表示手段に表示させることを特徴とする請求項１に記載の撮像装置。
【請求項１０】
第１の指示信号に応答して撮像動作を繰り返し実行し、
撮像動作が繰り返されている間に第２の指示信号が出力された場合に、上記第２の指示信号が出力されたタイミングの前後に取得された画像を順次表示し、
上記画像が順次表示されている間に選択指示信号が出力された場合に、そのタイミングで表示されている画像を記録する、
ことを特徴とする画像記録方法。
【請求項１１】
第１の指示信号に応答して撮像動作を繰り返し実行することによって取得された一連の画像を第１の記録手段に記録し、
上記画像を記録している間に第２の指示信号が出力された場合に、上記第２の指示信号が出力されたタイミングの前後に取得された画像を上記第１の記録手段から読み出して順次表示し、
上記画像が順次表示されている間に選択指示信号が出力された場合に、そのタイミングで表示されている画像を上記第１の記録手段から第２の記録手段に複製記録する、
ことを特徴とする画像記録方法。
【発明の詳細な説明】
【技術分野】
【０００１】
本発明は、デジタルカメラ等の撮像装置及び撮像装置における画像記録方法に関する。
【背景技術】
【０００２】
近年、被写体像を撮影光学系を介してＣＣＤ等の撮像素子上に結像させて電気信号に変換し、これにより得られた被写体像の画像を半導体メモリのような記録メディアに記録する撮像装置が広く普及している。
【０００３】
また、特許文献１においては、レリーズボタンの１段階目の押圧がなされている間、新しい順に所定数だけ蓄えるようにバッファメモリを巡回利用しながら画像の撮影を繰り返し実行し、レリーズボタンの２段階目の押圧がなされた時点で、そのときバッファメモリに蓄えられている画像とレリーズボタンの２段階目の押圧がなされた時点で撮影された画像とを記録メディアに記録する、所謂プリキャプチャ機能を有するカメラが提案されている。
【０００４】
このようなプリキャプチャ機能を利用することにより、ユーザはシャッタチャンスを逃すことなく、所望の画像を容易に撮影することが可能である。
【特許文献１】特開２００２−２５２８０４号公報
【発明の開示】
【発明が解決しようとする課題】
【０００５】
ここで、特許文献１において提案されているプリキャプチャ機能の場合、バッファメモリに蓄えられた画像とレリーズボタンの２段階目の押圧がなされた時点で撮影された画像の全ての画像を記録メディアに記録するので、本来記録する必要のない画像まで記録メディアに記録されてしまうことになる。
【０００６】
本発明は、上記の事情に鑑みてなされたもので、プリキャプチャ機能によって得られた画像の中の必要な画像だけ記録することによって容量の限られた記録メディアを有効活用できる撮像装置及びこのような撮像装置における画像記録方法を提供することを目的とする。
【課題を解決するための手段】
【０００７】
上記の目的を達成するために、本発明の第１の態様による撮像装置は、被写体を撮像する撮像動作を行って画像を取得する撮像手段と、上記撮像手段による撮像動作で取得された画像を記録する記録手段と、上記撮像手段による撮像動作で取得された画像を表示する表示手段と、第１段階の押圧によって第１の指示信号を出力し、第２段階の押圧によって第２の指示信号を出力する撮影指示手段と、選択指示信号を出力する選択指示手段と、上記第１の指示信号に応答して上記撮像手段による撮像動作を繰り返し実行させ、上記撮像動作が繰り返されている間に上記第２の指示信号が出力された場合に、上記第２の指示信号が出力されたタイミングの前後に取得された画像を上記表示手段に順次表示させ、上記表示手段に画像が順次表示されている間に上記選択指示信号が出力された場合に、そのタイミングで上記表示手段に表示されている画像を上記記録手段に記録させるように制御する制御手段とを具備することを特徴とする。
【０００８】
また、上記の目的を達成するために、本発明の第２の態様による画像記録方法は、第１の指示信号に応答して撮像動作を繰り返し実行し、撮像動作が繰り返されている間に第２の指示信号が出力された場合に、上記第２の指示信号が出力されたタイミングの前後に取得された画像を順次表示し、上記画像が順次表示されている間に選択指示信号が出力された場合に、そのタイミングで表示されている画像を記録することを特徴とする。
【０００９】
また、上記の目的を達成するために、本発明の第３の態様による画像記録方法は、第１の指示信号に応答して撮像動作を繰り返し実行することによって取得された一連の画像を第１の記録手段に記録し、上記画像を記録している間に第２の指示信号が出力された場合に、上記第２の指示信号が出力されたタイミングの前後に取得された画像を上記第１の記録手段から読み出して順次表示し、上記画像が順次表示されている間に選択指示信号が出力された場合に、そのタイミングで表示されている画像を上記第１の記録手段から第２の記録手段に複製記録することを特徴とする。
【００１０】
これら第１〜第３の態様によれば、第２の指示信号が出力されたタイミングの前後で取得された画像の中から選択指示信号が出力されたタイミングの画像のみを記録することができるので、記録メディアを有効活用できる。
【発明の効果】
【００１１】
本発明によれば、プリキャプチャ機能によって得られた画像の中の必要な画像だけ記録することによって容量の限られた記録メディアを有効活用できる撮像装置及びこのような撮像装置における画像記録方法を提供することができる。
【発明を実施するための最良の形態】
【００１２】
以下、図面を参照して本発明の実施形態を説明する。  
［第１の実施形態］
図１は、本発明の第１の実施形態に係る撮像装置の一例としてのデジタルカメラの内部の電気回路構成について詳しく示すブロック図である。ここで、図１に示すデジタルカメラ（以下、カメラと称する）は、レンズ交換式のデジタル一眼レフレックス方式のカメラを想定して図示しているが、一眼レフレックス方式以外のカメラにも第１の実施形態を適用することができる。
【００１３】
図１に示すカメラ１は、レンズ鏡筒１００と、カメラ本体２００とから構成されている。
【００１４】
レンズ鏡筒１００の各部の制御はレンズ制御用マイクロコンピュータ（以下、Ｌｕｃｏｍと称する）１０１によって行われる。一方、カメラ本体２００の各部の制御はボディ制御用マイクロコンピュータ（以下、Ｂｕｃｏｍと称する）２０１によって行われる。ここで、カメラ本体２００にレンズ鏡筒１００が装着された際には、通信コネクタ１０１ａを介してＬｕｃｏｍ１０１とＢｕｃｏｍ２０１とが通信可能に接続される。この場合、カメラシステムとして、Ｌｕｃｏｍ１０１がＢｕｃｏｍ２０１に従属するようにして稼動するようになっている。
【００１５】
また、上述したように、レンズ鏡筒１００の内部には、撮影光学系１０２が配設されている。この撮影光学系１０２は複数の光学レンズから構成されており、レンズ駆動機構１０３内に存在する図示しないＤＣモータにより、その光軸方向に駆動される。
【００１６】
また、撮影光学系１０２の後方には絞り１０４が設けられている。この絞り１０４は、絞り駆動機構１０５内に存在する図示しないステッピングモータによって開閉駆動される。絞り１０４の開閉が制御されることによって、撮影光学系１０２を介してカメラ本体２００に入射する被写体からの光束の光量が制御される。
【００１７】
ここで、レンズ駆動機構１０３内のＤＣモータの制御及び絞り駆動機構１０５内のステッピングモータの制御は、Ｂｕｃｏｍ２０１の指令を受けたＬｕｃｏｍ１０１によって行われる。
【００１８】
また、カメラ本体２００の内部の撮影光学系１０２の光路上にはＡＦミラー２０２が配置されている。カメラ１が通常状態にある場合には、ＡＦミラー２０２が図示の位置にある。この場合、撮影光学系１０２を介して入射した被写体からの光束がＡＦミラー２０２で反射される。ＡＦミラー２０２で反射された光束は自動焦点調節処理（ＡＦ処理）を行うためのＡＦセンサユニット２０３に導かれる。ＡＦセンサユニット２０３の内部には、例えば位相差方式のＡＦを行うためのＡＦセンサが設けられている。このＡＦセンサに入射した光束は電気信号に変換される。ＡＦセンサユニット２０３のＡＦセンサからの出力は、ＡＦセンサ駆動回路２０４を介してＢｕｃｏｍ２０１へ送信される。そして、Ｂｕｃｏｍ２０１において測距処理が行われ、撮影光学系１０２の焦点状態が演算される。この結果は、Ｂｕｃｏｍ２０１からＬｕｃｏｍ１０１に送信される。Ｌｕｃｏｍ１０１では、Ｂｕｃｏｍ２０１から通知された焦点状態に基づいて撮影光学系１０２の駆動制御が行われる。
【００１９】
また、カメラ１が撮影動作状態にあるときには、ＡＦミラー２０２が撮影光学系１０２の光軸から退避する所定の位置に移動される。このようなＡＦミラー２０２の駆動は、ミラー駆動機構２０５によって行われる。また、ミラー駆動機構２０５の制御は、Ｂｕｃｏｍ２０１によって行われる。
【００２０】
ＡＦミラー２０２が撮影光学系１０２の光路上から退避することによって、撮影光学系１０２を透過した被写体からの光束はシャッタ部２０６の方向に入射する。フォーカルプレーン式のシャッタ部２０６を構成する先幕と後幕とを駆動するためのばね力は、シャッタチャージ機構２０７によってチャージされる。また、先幕と後幕の駆動は、シャッタ制御回路２０８によって行われる。これらシャッタチャージ機構２０７及びシャッタ制御回路２０８は、Ｂｕｃｏｍ２０１によって制御される。
【００２１】
シャッタ部２０６を通過した光束は、シャッタ部２０６の後方に配置された撮像ユニット２０９内部の撮像素子２１０に入射する。この撮像素子２１０は、撮像素子２１０と撮影光学系１０２との間に配設された防塵フィルタ２１１によって保護されている。防塵フィルタ２１１は、例えばガラス等の透明部材で構成されている。
【００２２】
また、防塵フィルタ２１１の周縁部には、該防塵フィルタ２１１を所定の振動周波数で振動させるための圧電素子２１２が取り付けられている。圧電素子２１２は、２つの電極を有しており、防塵フィルタ駆動回路２１３によって駆動される。また、防塵フィルタ２１１の制御は、Ｂｕｃｏｍ２０１によって行われる。防塵フィルタ駆動回路２１３によって圧電素子２１２を振動させることによって、防塵フィルタ２１１が振動する。これによって、防塵フィルタ２１１の表面に付着した塵埃が払い落とされる。
【００２３】
ここで、撮像素子２１０と圧電素子２１２とは、防塵フィルタ２１１を一面とするケース内に一体的に収納されている。これにより、撮像素子２１０への塵埃の付着を確実に防止することができる。
【００２４】
また、撮像ユニット２０９の近傍には、温度測定回路２１４が設けられている。通常、温度はガラス製の物材の弾性係数に影響する。つまり、温度の変化は防塵フィルタ２１１の固有振動数を変化させる要因の１つとなるため、防塵フィルタ２１１を振動させる際には、常にその周辺温度が計測されるようにしている。なお、温度測定回路２１４の温度測定ポイントは防塵フィルタ２１１の振動面の極近傍に設定することが好ましい。このように、温度の変化を考慮しながら防塵フィルタ２１１の振動を制御することにより、常に最適な条件で防塵フィルタ２１１を振動させることが可能である。
【００２５】
ここで、図１のカメラ１は、電子ビューファインダ（ＥＶＦ）を利用したファインダ装置を利用している。このため、撮像素子２１０で得られた電気信号（画像信号）は、所定タイミング毎に撮像インターフェイス回路２１５を介して読み出されてデジタル化される。撮像インターフェイス回路２１５でデジタル化されて得られた画像データは、画像処理コントローラ２１６を介してＳＤＲＡＭなどで構成されたバッファメモリ２１７に格納される。ここで、バッファメモリ２１７は、画像データなどのデータの一時保管用メモリであり、画像データに各種処理が施される際のワークエリアなどに利用される。
【００２６】
撮像インターフェイス回路２１５を介して読み出され、バッファメモリ２１７に格納された画像データは画像処理コントローラ２１６によって読み出される。画像処理コントローラ２１６によって読み出された画像データは、ＥＶＦ表示用のホワイトバランス補正などの画像処理が施された後、バッファメモリ２１７に格納される。その後、バッファメモリ２１７に格納された画像データは、フレーム単位で画像処理コントローラ２１６によって読み出されてビデオ信号に変換される。このビデオ信号は、表示用の所定のサイズにリサイズされた後、ＥＶＦ用液晶モニタ２１８に画像として表示される。このＥＶＦ用液晶モニタ２１８に表示された画像は、接眼レンズ２１９を介して観察できるようになっている。これにより光学式のファインダがなくとも、ユーザは被写体の状態を目視観察することができる。
【００２７】
また、撮影終了後には、撮像インターフェイス回路２１５を介して読み出され、バッファメモリ２１７に格納された画像データが画像処理コントローラ２１６によって読み出される。画像処理コントローラ２１６によって読み出された画像データは、ホワイトバランス補正や、階調補正、色補正などの周知の画像処理が施された後、バッファメモリ２１７に格納される。その後、バッファメモリ２１７に格納された画像データが画像処理コントローラ２１６によって読み出されてビデオ信号に変換され、表示用の所定のサイズにリサイズされた後、外部液晶モニタ２２０に出力表示される。ユーザは、外部液晶モニタ２２０に表示された画像により、撮影した画像を確認することができる。
【００２８】
また、画像記録時には、画像処理コントローラ２１６によって処理された画像データが、ＪＰＥＧ方式などの周知の圧縮方式によって圧縮される。ＪＰＥＧ圧縮によって得られたＪＰＥＧデータは、バッファメモリ２１７に格納された後、まず第１の記録手段としての内蔵記録メディア２２１に記録され、その後第２の記録手段としての着脱可能記録メディア２２２に記録される。ここで、内蔵記録メディア２２１は、例えばハードディスクドライブで構成されている。一方、着脱可能記録メディア２２２はカメラ１に着脱自在に構成されたメモリカードなどが用いられる。
【００２９】
また、画像を再生する際には、内蔵記録メディア２２１や着脱可能記録メディア２２２に記録されたＪＰＥＧデータが画像処理コントローラ２１６によって読み出されて伸長される。その後、この伸長データがビデオ信号に変換された後、表示用の所定のサイズにリサイズされ、外部液晶モニタ２２０に出力表示される。
【００３０】
また、Ｂｕｃｏｍ２０１には、カメラ制御に必要な所定の制御パラメータを記憶する不揮発性メモリ２２３やカメラの制御プログラムが書き込まれたＦｌａｓｈＲｏｍ２２４がアクセス可能に接続されている。ここで、不揮発性メモリ２２３は、例えば書き換え可能なＥＥＰＲＯＭで構成されている。
【００３１】
更に、Ｂｕｃｏｍ２０１には、電源回路２２５を介して電源としての電池２２６が接続されている。電源回路２２５では、電池２２６の電圧が、当該カメラシステムの各部が必要とする電圧に変換され、当該カメラシステムの各部に供給される。
【００３２】
更に、Ｂｕｃｏｍ２０１には、当該カメラ１の動作状態を表示出力によってユーザに告知するための動作表示用ＬＣＤ２２７と、当該カメラ１の各種操作部材の操作状態を検出するためのカメラ操作スイッチ（ＳＷ）２２８とが接続されている。
【００３３】
ここで、カメラ１の操作部材について説明する。図２は、カメラの操作部材について説明するためのカメラ１の外観背面図である。なお、実際には図２に示す操作部材よりも多くの操作部材が存在していても良いことは言うまでもない。
【００３４】
図２に示すように、カメラ１の背面には、メインダイヤル３１１と、ＡＦフレームボタン３１２と、ＡＥロックボタン３１３と、再生モードボタン３１４と、消去ボタン３１５と、プロテクトボタン３１６と、情報表示ボタン３１７と、メニューボタン３１８と、十字ボタン３１９と、ＯＫボタン３２０と、栞ボタン３２１とが設けられている。更に、カメラ１の上面には、レリーズボタン３２２が設けられている。
【００３５】
メインダイヤル３１１は、他の操作部材が押された状態で操作される操作部材である。このメインダイヤル３１１が回転操作されることにより、現在ユーザによって押されている操作部材に係る機能の設定変更を行うことが可能である。
【００３６】
ＡＦフレームボタン３１２は、撮影時のＡＦ方式を選択するためのボタンである。このＡＦフレームボタン３１２が押されている状態でダイヤル操作がなされることにより、ＡＦ方式が、例えばマルチＡＦ又はスポットＡＦに変更される。マルチＡＦでは、画面内の複数測距点の焦点状態が検出される。一方、スポットＡＦでは、画面内の一点（複数候補の中から選択できる）の焦点状態が検出される。
【００３７】
ＡＥロックボタン３１３は、露光条件を固定するためのボタンである。このＡＥロックボタン３１３が押されている間は、そのとき演算されている露光量が固定される。
【００３８】
再生モードボタン３１４は、カメラ１の動作モードを、画像再生可能な再生モードに切り替えるためのボタンである。
【００３９】
消去ボタン３１５は、再生モード中において画像データ（ＪＰＥＧファイル）を内蔵記録メディア２２１や着脱可能記録メディア２２２から消去するためのボタンである。
【００４０】
プロテクトボタン３１６は、再生モード中において、誤って画像データが消去されないように、画像データにプロテクトをかけるためのボタンである。
【００４１】
情報表示ボタン３１７は、画像データの付加情報（例えば、Ｅｘｉｆ情報）に基づく画像情報を表示させるためのボタンである。
【００４２】
メニューボタン３１８は、外部液晶モニタ２２０にメニュー画面を表示させるためのボタンである。このメニュー画面は、複数の階層構造からなるメニュー項目によって構成されている。操作者であるユーザは、所望のメニュー項目を十字ボタン３１９で選択することができ、ＯＫボタン３２０で選択した項目を決定することができる。ここで、メニュー項目としては、例えば内蔵記録メディア２２１や着脱可能記録メディア２２２のセットアップ、画像データの画質、画像処理、シーンモードなどの設定を行うことができる撮影メニュー、画像再生時の再生条件及び画像プリント時の設定などを行うことができる再生メニュー、撮影者の好みに応じた種々の細かい設定を行うことができるカスタムメニュー、及び警告音の種類などのカメラの動作状態を設定するセットアップメニューなどがある。
【００４３】
選択指示手段としての栞ボタン３２１は、後述するキャプチャ動作によって内蔵記録メディア２２１に記録された画像の中から、着脱可能記録メディア２２２に複製記録する画像を選択するための選択指示信号を出力させるためのボタンである。
【００４４】
撮影指示手段としてのレリーズボタン３２２は、撮影準備動作及び露光動作を実行させるためのボタンである。このレリーズボタンは、第１レリーズスイッチと第２レリーズスイッチの２段式のスイッチで構成されており、レリーズボタン３２２の１段階目の押圧操作によって第１の指示信号が出力されて測光処理や測距処理などの撮影準備動作や、後述するキャプチャ動作が実行される。また、レリーズボタン３２２の２段階目の押圧操作によって第２の指示信号が出力されてキャプチャ動作によって取得された画像が内蔵記録メディア２２１に記録される。
【００４５】
次に、以上説明したような構成を有するカメラ１による画像記録方法について図３を参照して説明する。図３は、カメラ１の単写モード時の動作について示すフローチャートである。なお、図３の処理は、制御手段としてのＢｕｃｏｍ２０１によって制御される。
【００４６】
図３のフローチャートの処理は、カメラ１が単写モードである場合に、ユーザによるレリーズボタン３２２の１段階目の押圧がなされた時点で開始される。ユーザによるレリーズボタン３２２の１段階目の押圧がなされると、測距処理が行われて撮影光学系１０２の焦点状態が演算される（ステップＳ１）。そして、この焦点状態に応じてＬｕｃｏｍ１０１において焦点調節に必要な撮影光学系１０２の駆動量が演算される。そして、ここで演算された駆動量に基づいて撮影光学系１０２の駆動が行われる（ステップＳ２）。
【００４７】
続いて、ＡＦミラー２０２が撮影光学系１０２の光路上から退避する所定の位置に移動され、シャッタ部２０６が開放される（ステップＳ３）。これによって撮像素子２１０の撮像面が露出して、キャプチャ動作が行われる（ステップＳ４）。このキャプチャ動作においては、連続的に撮像動作が行われ、これにより得られた一連の画像（以下、キャプチャ画像と称する）のうちの最新の所定コマ（例えば、１０コマ）の画像が順次バッファメモリ２１７に格納されていく。つまり、バッファメモリ２１７には、常に一定コマ数分の画像が格納され、新たに画像が取得された場合には、古いものから順に上書きされる。また、キャプチャ動作中では、１コマの画像の撮像が行われるたびに、その画像内の所定範囲内のデータの累積加算値から、測光処理が行われる。この測光処理の結果に応じて、絞り１０４の絞り量の調整などが行われる。また、所定範囲内のデータの累積加算値から、測距処理を行い、この結果に応じて撮影光学系１０２の位置の微調整を行うようにしても良い。
【００４８】
キャプチャ動作実行中には、ユーザによるレリーズボタン３２２の２段階目の押圧がなされたか否かが判定される（ステップＳ５）。ステップＳ５の判定において、ユーザによるレリーズボタン３２２の２段階目の押圧がなされていない場合には、ステップＳ４に戻り、キャプチャ動作が継続される。
【００４９】
一方、ステップＳ５の判定において、ユーザによるレリーズボタン３２２の２段階目の押圧がなされた場合には、ステップＳ５をステップＳ６に分岐して、レリーズボタン３２２の２段階目の押圧がなされたタイミングにおいて撮像された画像を含む、最新の所定コマのキャプチャ画像が内蔵記録メディア２２１に記録される（ステップＳ６）。なお、ステップＳ６の画像記録の際には、レリーズボタン３２２の２段階目の押圧がなされたタイミングから、所定時間の間キャプチャ動作を継続し、それによって得られた最新の所定コマの画像をキャプチャ画像として内蔵記録メディア２２１に記録するようにしても良い。
【００５０】
ステップＳ６の画像記録の終了後、内蔵記録メディア２２１に記録されたキャプチャ画像が１コマずつ読み出されて再生される（ステップＳ７）。このステップＳ７の再生時においては、ユーザが充分に視認でき、また画像の選択操作を行えるように、キャプチャ動作時において１コマが実際に撮像された時間よりも再生時間を伸張して１コマずつ再生するようにする。なお、ステップＳ７の再生をステップＳ６の画像記録と並列的に行うようにしても良い。つまり、１コマの記録が終了する毎にその１コマを読み出して再生するようにしても良い。
【００５１】
画像再生時には、栞ボタン３２１が押されたか否かが判定される（ステップＳ８）。ステップＳ８の判定において、栞ボタン３２１が押された場合には、ステップＳ８をステップＳ９に分岐して、栞ボタン３２１が押されたタイミングで外部液晶モニタ２２０に表示されている画像が、内蔵記録メディア２２１から着脱可能記録メディア２２２に複製記録される（ステップＳ９）。その後、ステップＳ１０に移行する。一方、ステップＳ８の判定において、栞ボタン３２１が押されていない場合には、ステップＳ８からステップＳ１０に分岐する。
【００５２】
以上の処理の後、キャプチャ画像のコマ送り再生が終了か否か、例えば全てのキャプチャ画像の再生が終了したか否かが判定される（ステップＳ１０）。ステップＳ１０の判定において、キャプチャ画像のコマ送り再生が終了していない場合には、ステップＳ８に戻り、コマ送り再生が継続される。一方、ステップＳ１０の判定において、キャプチャ画像のコマ送り再生が終了した場合には、図３のフローチャートの処理が終了され、図示しないカメラのメインフローチャートに復帰する。ここで、キャプチャ画像のコマ送り再生終了後に、コマ送り再生を再び行うか否かをユーザに確認するようにしても良い。
【００５３】
以上説明したように、第１の実施形態によれば、実時間で撮影が行われた直後に、即座に時間を伸張した状態でのキャプチャ画像の再生が行われるので、ユーザが記録したい画像の選択が容易であり、簡単にかつ確実にベストショットの画像を選択して、着脱可能な記録メディアに記録することができる。また、キャプチャ画像は、カメラに内蔵された記録メディアに記録されるので、後で別のショットが必要になったときにも簡単に取り出すことができ、また、必要な画像のみを選んで着脱可能な記録メディアに記録することができるので、着脱可能な記録メディアに大容量の記録メディアを用いることなく、ベストショットの画像のみを効率良く記録できる。
【００５４】
なお、図３のフローチャートは、カメラ１が単写モードである場合のフローチャートであるが、カメラ１が連写モードである場合においては、ステップＳ６からステップＳ７に移行する前にレリーズボタンの２段階目の押圧があるか否かを判定し、レリーズボタンの２段階目の押圧がなされている間は撮像動作と記録メディアへの書き込み動作を繰り返し実行するステップを設けるようにすれば良い。そして、レリーズボタンの２段階目の押圧が解除された場合に、図３のステップＳ７に移行するようにすれば、カメラ１が連写モードの場合にも第１の実施形態の技術を適用することができる。
【００５５】
［第２の実施形態］
次に、本発明の第２の実施形態について説明する。本発明の第２の実施形態は、栞ボタン３２１の代わりに生体情報入力装置からの生体情報に応じて着脱可能な記録メディアに記録する画像を選択することができる例である。
【００５６】
図４は、第２の実施形態に係る撮像装置の一例としてのデジタルカメラの内部の電気回路構成について詳しく示すブロック図である。なお、カメラ１自体の構成は、図１で説明したものと同様である。このカメラ１には、外部装置として生体情報入力装置４０１が接続になっており、この生体情報入力装置４０１が第１の実施形態の栞ボタン３２１の代わりとして動作する。
【００５７】
図５は、生体情報入力装置４０１の一例としての脳波検出装置をカメラ１に接続したときの様子を示す図である。ユーザが、脳波検出装置を図６のようにして頭部に装着することにより、脳波検出装置５０１に設けられた電極５０１ａを介してユーザの脳波（α波やβ波など）が検出される。この信号がカメラ１のＢｕｃｏｍ２０１に入力されることにより、ユーザからの指示がなされたことが認識される。なお、生体情報入力装置としては、脳波検出装置以外にも、音声信号を入力する装置や、ユーザの瞬きなどを検出する装置など種々の装置が考えられる。
【００５８】
図７は、第２の実施形態における画像記録方法の処理手順について示すフローチャートである。この図７で異なっている点は、図３のステップＳ８の判定が栞ボタン３２１の押圧がなされたか否かではなく、生体情報が入力されたか否か（ステップＳ１８）に変更されている点だけである。
【００５９】
以上説明したように、第２の実施形態によれば、生体情報の入力によって画像の選択を行うことができる。これにより、画像を見てから栞ボタン３２１を押すまでの人間の反応時間による遅れを短縮できる。
【００６０】
以上実施形態に基づいて本発明を説明したが、本発明は上記した実施形態に限定されるものではなく、本発明の要旨の範囲内で種々の変形や応用が可能なことは勿論である。
【００６１】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６２】
【図１】本発明の第１の実施形態に係る撮像装置の一例としてのデジタルカメラの内部の電気回路構成について詳しく示すブロック図である。
【図２】カメラの操作部材について説明するためのデジタルカメラの外観背面図である。
【図３】本発明の第１の実施形態における単写モード時の動作について示すフローチャートである。
【図４】本発明の第２の実施形態に係る撮像装置の一例としてのデジタルカメラの内部の電気回路構成について詳しく示すブロック図である。
【図５】生体情報入力装置の一例としての脳波検出装置をデジタルカメラに接続したときの様子を示す図である。
【図６】ユーザが脳波検出装置を装着しているときの様子を示す図である。
【図７】本発明の第２の実施形態における単写モード時の動作について示すフローチャートである。
【符号の説明】
【００６３】
１…デジタルカメラ（カメラ）、１００…レンズ鏡筒、１０１…レンズ制御用マイクロコンピュータ（Ｌｕｃｏｍ）、１０１ａ…通信コネクタ、１０２…撮影光学系、１０３…レンズ駆動機構、１０４…絞り、１０５…絞り駆動機構、２００…カメラ本体、２０１…ボディ制御用マイクロコンピュータ（Ｂｕｃｏｍ）、２０２…ＡＦミラー、２０３…ＡＦセンサユニット、２０４…ＡＦセンサ駆動回路、２０５…ミラー駆動機構、２０６…シャッタ部、２０７…シャッタチャージ機構、２０８…シャッタ制御回路、２０９…撮像ユニット、２１０…撮像素子、２１１…防塵フィルタ、２１２…圧電素子、２１３…防塵フィルタ駆動回路、２１４…温度測定回路、２１５…撮像インターフェイス回路、２１６…画像処理コントローラ、２１７…バッファメモリ、２１８…ＥＶＦ用液晶モニタ、２１９…接眼レンズ、２２０…外部液晶モニタ、２２１…内蔵記録メディア、２２２…着脱可能記録メディア、２２３…不揮発性メモリ（ＥＥＰＲＯＭ）、２２４…ＦｌａｓｈＲｏｍ、２２５…電源回路、２２６…電池、２２７…動作表示用ＬＣＤ、２２８…カメラ操作スイッチ、３２１…栞ボタン、３２２…レリーズボタン、４０１…生体情報入力装置
【図１】
2006270868.tif 000003
【図２】
2006270868.tif 000004
【図３】
2006270868.tif 000005
【図４】
2006270868.tif 000006
【図５】
2006270868.tif 000007
【図６】
2006270868.tif 000008
【図７】
2006270868.tif 000009